(57)【要約】【課題】式台となる部材の収納を可能としながらも、収納位置から使用位置にする際における作業性を向上させ得る玄関框を提供する。【解決手段】玄関框１は、玄関に設置される框本体２と、前記框本体に設けられた収納部３に収納される収納位置と前方に向けて突出する使用位置とに回動自在に前記框本体に連結された踏板１１と、前記框本体に設けられた収納部に収納される収納位置と前記使用位置とされた前記踏板を下方側から支持する使用位置とに回動自在に前記框本体に連結された支持脚板２０と、前記踏板及び前記支持脚板を前記収納位置から前記使用位置側に向けて付勢する付勢部材１４，２３と、前記付勢部材の付勢に抗して前記踏板及び前記支持脚板を前記収納位置において保持するロック状態と該ロック状態を解除する解除状態とに切り替えられかつ該ロック状態から該解除状態に少なくとも切り替え操作可能とされたロック機構１５，１８と、を備えている。【選択図】図１
2015110868.tif 000002
【特許請求の範囲】
【請求項１】
玄関に設置される框本体と、
前記框本体に設けられた収納部に収納される収納位置と前方に向けて突出する使用位置とに回動自在に前記框本体に連結された踏板と、
前記框本体に設けられた収納部に収納される収納位置と前記使用位置とされた前記踏板を下方側から支持する使用位置とに回動自在に前記框本体に連結された支持脚板と、
前記踏板及び前記支持脚板を前記収納位置から前記使用位置側に向けて付勢する付勢部材と、
前記付勢部材の付勢に抗して前記踏板及び前記支持脚板を前記収納位置において保持するロック状態と該ロック状態を解除する解除状態とに切り替えられかつ該ロック状態から該解除状態に少なくとも切り替え操作可能とされたロック機構と、
を備えていることを特徴とする玄関框。
【請求項２】
請求項１において、
前記踏板及び前記支持脚板は、前記収納位置において、板厚方向を前後方向に沿わせるように収納されることを特徴とする玄関框。
【請求項３】
請求項２において、
前記踏板は、前記収納位置において、厚さ方向一方面が前記框本体の前面と概ね同一平面状となるように前記収納部の前方開口を閉鎖するように配される構成とされ、前記支持脚板は、前記収納位置において、前記踏板の厚さ方向他方面に沿うように該踏板の奥側に配される構成とされていることを特徴とする玄関框。
【発明の詳細な説明】
【技術分野】
【０００１】
本発明は、玄関に設置される玄関框に関する。
【背景技術】
【０００２】
従来より、玄関土間と玄関フロアとの段差を緩和するために玄関土間に設置される式台が知られている。このような式台は、不要時に収納し難く邪魔になり、玄関土間が狭くなる場合があった。
例えば、下記特許文献１には、建物の床と地面の段差に設けられ、床と地面との間に設けられた箱に収納可能とされた引き出し式の踏み台が開示されている。
【先行技術文献】
【特許文献】
【０００３】
【特許文献１】特開平１１−２００７４６号公報
【発明の概要】
【発明が解決しようとする課題】
【０００４】
しかしながら、上記特許文献１に記載された踏み台では、踏み台の引き出し量の過不足等によって、床下の箱から踏み台が抜け出たり、十分な踏み面を確保し難くなったりするようなことが考えられ、更なる改善が望まれる。
【０００５】
本発明は、上記実情に鑑みてなされたものであり、式台となる部材の収納を可能としながらも、収納位置から使用位置にする際における作業性を向上させ得る玄関框を提供することを目的としている。
【課題を解決するための手段】
【０００６】
上記目的を達成するために、本発明に係る玄関框は、玄関に設置される框本体と、前記框本体に設けられた収納部に収納される収納位置と前方に向けて突出する使用位置とに回動自在に前記框本体に連結された踏板と、前記框本体に設けられた収納部に収納される収納位置と前記使用位置とされた前記踏板を下方側から支持する使用位置とに回動自在に前記框本体に連結された支持脚板と、前記踏板及び前記支持脚板を前記収納位置から前記使用位置側に向けて付勢する付勢部材と、前記付勢部材の付勢に抗して前記踏板及び前記支持脚板を前記収納位置において保持するロック状態と該ロック状態を解除する解除状態とに切り替えられかつ該ロック状態から該解除状態に少なくとも切り替え操作可能とされたロック機構と、を備えていることを特徴とする。
【０００７】
本発明においては、前記踏板及び前記支持脚板を、前記収納位置において、板厚方向を前後方向に沿わせるように収納されるものとしてもよい。
また、本発明においては、前記踏板を、前記収納位置において、厚さ方向一方面が前記框本体の前面と概ね同一平面状となるように前記収納部の前方開口を閉鎖するように配される構成とし、前記支持脚板を、前記収納位置において、前記踏板の厚さ方向他方面に沿うように該踏板の奥側に配される構成としてもよい。
【発明の効果】
【０００８】
本発明に係る玄関框は、上述のような構成としたことで、式台となる部材の収納を可能としながらも、収納位置から使用位置にする際における作業性を向上させることができる。
【図面の簡単な説明】
【０００９】
【図１】（ａ）、（ｂ）は、いずれも本発明の一実施形態に係る玄関框の一例を模式的に示し、（ａ）は、図２（ａ）におけるＸ１−Ｘ１線矢視に対応させた概略縦断面図、（ｂ）は、図２（ｂ）におけるＸ２−Ｘ２線矢視に対応させた概略縦断面図である。
【図２】（ａ）、（ｂ）は、同玄関框の一部破断概略平面図である。
【図３】同玄関框の一部破断概略斜視図である。
【発明を実施するための形態】
【００１０】
以下に本発明の実施の形態について、図面に基づいて説明する。
図１〜図３は、本実施形態に係る玄関框の一例を模式的に示す図である。
なお、以下の実施形態では、設置された玄関框に玄関土間側から対面した状態を基準として、手前側を前方、その逆側を後方とし、また、その状態を基準として、上下方向及び左右方向の方向を説明する。
【００１１】
本実施形態に係る玄関框１は、図１〜図３に示すように、玄関に設置される框本体２と、框本体２に設けられた収納部３に収納される収納位置と前方に向けて突出する使用位置とに回動自在に框本体２に連結された踏板１１と、を備えている。また、玄関框１は、框本体２に設けられた収納部３に収納される収納位置と使用位置とされた踏板１１を下方側から支持する使用位置とに回動自在に框本体２に連結された支持脚板２０を備えている。また、玄関框１は、踏板１１及び支持脚板２０を収納位置から使用位置側に向けて付勢する付勢部材１４，２３を備えている。また、玄関框１は、付勢部材１４，２３の付勢に抗して踏板１１及び支持脚板２０を収納位置において保持するロック状態と該ロック状態を解除する解除状態とに切り替えられかつ該ロック状態から該解除状態に少なくとも切り替え操作可能とされたロック機構１５，１８を備えている。
この玄関框１は、図３に示すように、玄関土間５と床面６との境界部に沿うように設けられる。
【００１２】
框本体２は、玄関土間５と床面６との境界部に沿って長尺状とされており、外郭形状が略角柱状とされている。この框本体２は、図１及び図３に示すように、略垂直面状とされた立上り面としての前面４を、玄関土間５側に向けて玄関に設置される。また、框本体２は、その上面と床面６とが略同一平面状となるように設置される。
また、框本体２は、その上下寸法が玄関土間５から床面６までの上下方向に沿う寸法（段差寸法）に応じて、適宜、設定されたものとしてもよく、本実施形態では、框本体２の上下寸法を、上記段差寸法と略同寸法としている。この框本体２の上下寸法は、一般的な玄関框の上下寸法と概ね同程度の寸法としてもよく、例えば、１５０ｍｍ〜４００ｍｍ程度としてもよい。なお、框本体２を、その下端と玄関土間５との間に隙間を隔てて床面６を構成する玄関フロア側に固定されるものとしてもよい。
【００１３】
また、框本体２には、踏板１１及び支持脚板２０を収納する収納部３が設けられている。本実施形態では、框本体２に、踏板１１及び支持脚板２０を収納する単一の収納部３を設けた構成としている。また、本実施形態では、図１及び図２に示すように、収納部３を、前後方向に見て左右方向（框本体２の長手方向に沿う方向）に長尺な略矩形状とし、前方及び下方に向けて開口する切欠状としている。
この収納部３の上下寸法や左右方向に沿う寸法、前後方向に沿う寸法（奥行寸法）は、後記する踏板１１や支持脚板２０の寸法や、収納態様に応じて、適宜、設定される。図例では、収納部３の奥行寸法を、框本体２の前後寸法の１／２程度とし、収納部３の上下寸法を、框本体２の上下寸法の２／３程度とした例を示している。なお、框本体２の前後方向の全体に亘って貫通するように収納部３を設けた構成としてもよい。
【００１４】
踏板１１及び支持脚板２０は、使用位置において玄関土間５と床面６との段差を緩和する式台部１０を構成する。
この式台部１０は、踏板１１の使用位置における上面となる踏面１２が玄関土間５から床面６までの間に配される構成とされている。この使用位置における玄関土間５から踏面１２までの上下方向に沿う寸法を、上記段差寸法に応じて、また、踏面１２が踏み易い高さ位置となるように、適宜、設定するようにしてもよい。例えば、この使用位置における玄関土間５から踏面１２までの上下方向に沿う寸法を、上記段差寸法の１／４〜３／４程度としてもよく、図例では、２／３程度とした例を示している。また、使用位置における玄関土間５から踏面１２までの上下方向に沿う寸法を、一般的な式台の上下寸法と概ね同程度の寸法としてもよく、例えば、５０ｍｍ〜２５０ｍｍ程度としてもよく、好ましくは、１００ｍｍ〜２００ｍｍ程度としてもよい。
【００１５】
踏板１１は、図２及び図３に示すように、左右方向に長尺状の略矩形平板状とされており、図１（ｂ）に示すように、使用位置において、板厚方向を上下方向に沿わせるように配され、この使用位置における上面が略水平面状とされて踏面１２を構成する。
本実施形態では、図１（ａ）に示すように、踏板１１を、収納位置において、板厚方向を前後方向に沿わせるように収納される構成としている。また、本実施形態では、踏板１１を、収納位置において、厚さ方向一方面（表面）としての踏面１２が框本体２の前面４と概ね同一平面状となるように収納部３の前方開口を閉鎖するように配される構成としている。つまり、この踏板１１の収納位置における上下寸法（幅寸法）及び左右方向に沿う寸法（長手寸法）を、収納部３の上下寸法及び左右方向に沿う寸法とそれぞれ概ね同寸法としている。この踏板１１の幅寸法及び長手寸法を、使用位置において足等が載せ易い寸法となるように、適宜、設定するようにしてもよい。
【００１６】
また、本実施形態では、踏板１１の収納位置における上端部（使用位置における後端部）を、框本体２に回動自在に連結して基端部としている。
この踏板１１と框本体２とは、適宜の回動連結部材によって連結するようにすればよく、本実施形態では、蝶番（羽根蝶番）１３によって連結した構成としている。また、この蝶番１３の一方の羽根板を框本体２の収納部３の天面に固定し、他方の羽根板を踏板１１の基端面（収納位置における上端面）に固定した例を示している。
この蝶番１３の回動軸が踏板１１の回動支点となり、踏板１１は、この軸廻りに使用位置と収納位置とに変位可能に蝶番１３を介して框本体２に回動自在に連結された構成とされている。
【００１７】
また、本実施形態では、踏板１１の左右方向に間隔を空けて複数の蝶番１３，１３を設けた構成としている。図例では、踏板１１の左右方向両端部のそれぞれに、蝶番１３，１３を設けた例を示している。なお、これら蝶番１３，１３を設ける個数や位置を、踏板１１の左右方向に沿う寸法等に応じて、適宜、設定するようにしてもよい。
また、図例では、踏板１１の回動支点となる蝶番１３の回動軸が踏板１１の板厚方向略中央に位置するように蝶番１３を設けた例を示している。また、踏板１１が使用位置に変位可能となるように、踏板１１の基端部の踏面側角部及び収納部３の天面の前方側角部のそれぞれに左右方向の全体に亘って面取部を設けた構成としている。図例では、使用位置からの更なる回動を抑制するように、踏板１１が使用位置において、互いの面取部が当接する構成とした例を示している。なお、踏板１１の使用位置からの更なる回動を抑止するストッパー等を適宜、設けるようにしてもよい。
また、図例では、回動の際における先端部と玄関土間５との干渉を防止すべく、踏板１１の幅寸法を収納部３の上下寸法よりも僅かに小さい寸法とし、踏板１１を、収納位置において玄関土間５との間に隙間を隔てて配される構成とした例を示している。なお、このような隙間を小さくすべく、先端部の裏面（反踏面）側角部に、Ｒ面取り形状等の面取部を設けるようにしてもよい。
【００１８】
また、本実施形態では、付勢部材１４を、踏板１１を収納位置から使用位置側に向けて付勢する構成としている。この付勢部材１４は、収納位置とされた踏板１１を、使用位置となるまで付勢する付勢力とされたものに限られず、収納位置から使用位置に至る途中まで付勢する付勢力とされたものとしてもよい。
また、本実施形態では、この付勢部材１４を、蝶番１３に設けた構成としている。つまり、蝶番１３を、スプリング蝶番１３とし、このスプリング蝶番１３によって、踏板１１を、回動自在に框本体２に連結し、かつ収納位置から使用位置側に向けて付勢する構成としている。このような構成とすれば、例えば、付勢部材１４を蝶番１３とは別途に設けた場合と比べて、構造の簡略化を図ることができる。
【００１９】
このようなスプリング蝶番１３としては、適宜、公知のものが採用可能である。例えば、回動軸をコイル部に挿通し、各羽根板を各アームによって展開する方向に付勢するねじりコイルばね（トーションばね）等を設けたスプリング蝶番１３を採用するようにしてもよい。
なお、付勢部材１４を蝶番１３に設けた態様に代えて、または加えて、蝶番１３とは別部位に、付勢部材１４としてのねじりコイルばねや板ばね等のばね部材を設けたような態様としてもよい。
【００２０】
ロック機構１５，１８は、本実施形態では、図１に示すように、踏板１１に設けられたラッチ本体１５と、框本体２の収納部３の奥側に設けられ、ラッチ本体１５を係止するラッチ受部１８と、を備えた構成とされている。また、本実施形態では、ロック機構を、これらラッチ本体１５とラッチ受部１８とを備えたいわゆるプッシュラッチ（プッシュキャッチ）としている。
ラッチ本体１５は、踏板１１の板厚方向に沿う方向に長尺なロッド状とされ、踏面１２において一端側が露出するように踏板１１を貫通して設けられている。このラッチ本体１５の一端側には、少なくともロック状態から解除状態とするために操作される操作部１６が踏面１２において露出するように設けられている。また、ラッチ本体１５の他端部には、ロック状態において、ラッチ受部１８に係止される係止部１７が設けられている。
【００２１】
このようなプッシュラッチ１５，１８としては、適宜、公知のものが採用可能である。例えば、ラッチ本体１５の係止部１７を、操作部１６の押し込み操作がなされる毎に、ラッチ本体１５の先端外周に対して径方向に突出と没入とを繰り返す構成とされたものとし、突出状態（ロック状態）でラッチ受部１８に係止されるものとしてもよい。つまり、操作部１６の操作によって、ロック状態から解除状態及び解除状態からロック状態の両方に切り替えられる構成とされたものとしてもよい。また、図例では、ラッチ受部１８を、框本体２の収納部３の奥側壁部に埋め込み状に設け、係止部１７を係止する鉤状の被係止部１９を設けた構成としている。なお、このような態様に代えて、ラッチ本体１５の係止部１７を、突出方向に付勢されたものとし、ラッチ受部１８の被係止部１９への当接を伴い没入する構成とされたものとしてもよい。つまりは、操作部１６の操作によって、ロック状態から解除状態に切り替えられ、解除状態からロック状態へは、操作部１６を操作することなく切り替えられる構成とされたものとしてもよい。
【００２２】
また、図例では、ラッチ本体１５を、踏板１１の左右方向略中央に設け、収納位置における踏板１１の上下方向中央よりも僅かに下方側に寄った位置に設けた例を示している。
上記構成により、踏板１１は、収納位置とされてラッチ本体１５の係止部１７をラッチ受部１８に係止させてロック状態とすれば、付勢部材１４の付勢に抗して収納位置において保持される。一方、操作部１６を操作してロック状態を解除すれば、ラッチ受部１８に対する係止部１７の係止が解除され、踏板１１が付勢部材１４の付勢によって使用位置側へ向けて回動する構成とされている。
なお、ロック機構１５，１８としては、上記のような係止部１７が被係止部１９に引っ掛けられてロック状態が維持されるものに限られず、磁力によってロック状態が維持されるいわゆるマグネットラッチ等としてもよい。
【００２３】
支持脚板２０は、略矩形平板状とされており、本実施形態では、収納位置において、板厚方向を前後方向に沿わせるように収納される構成とされている。また、本実施形態では、支持脚板２０を、収納位置において、踏板１１の厚さ方向他方面としての裏面に沿うように踏板１１の奥側（後方側）に配される構成としている。つまり、本実施形態では、支持脚板２０を、収納位置において、踏板１１と共通の収納部３に収納する構成としている。上記した框本体２の収納部３の奥行寸法は、図１（ａ）に示すように、支持脚板２０及び踏板１１の厚さ寸法を足し合わせた寸法に応じた寸法とされている。
また、支持脚板２０は、使用位置において、板厚方向を左右方向に沿わせるように配され、その上端面が使用位置とされた踏板１１の下面としての裏面に当接される構成とされている。本実施形態では、この使用位置における支持脚板２０の上下寸法を、玄関土間５から使用位置とされた踏板１１の裏面までの上下方向に沿う寸法と略同寸法としている。つまり、支持脚板２０は、使用位置において、その下端面が玄関土間５に当接される構成とされている。
【００２４】
また、本実施形態では、図２に示すように、使用位置とされた踏板１１の左右方向両端部をそれぞれに支持するように、一対の支持脚板２０，２０を設けた構成としている。このような構成とすれば、使用位置とされた踏板１１を安定的に支持することができる。
これら一対の支持脚板２０，２０は、互いに同様の構成とされている。本実施形態では、これら支持脚板２０，２０の使用位置における後端部を、框本体２に回動自在に連結して基端部としている。また、これら支持脚板２０，２０の使用位置における前端部（先端部）同士が収納位置において対向配置される構成とされている。つまりは、これら支持脚板２０，２０は、言わば観音開き状に収納位置と使用位置とに変位する構成とされている。
また、これら支持脚板２０，２０は、使用位置におけるそれぞれの基端部の反対向面が框本体２の収納部３の左右方向両内側面に当接され、更なる回動が抑制される構成とされている。なお、これら支持脚板２０，２０の使用位置からの更なる回動を抑止するストッパー等を適宜、設けるようにしてもよい。また、これら支持脚板２０，２０を使用位置において保持する、例えば、落とし錠状のロック機構等を適宜、設けるようにしてもよい。
【００２５】
これら支持脚板２０，２０と框本体２とは、上記同様、適宜の回動連結部材によって連結するようにすればよく、本実施形態では、蝶番（羽根蝶番）２２，２２によってそれぞれに連結した構成としている。また、これら蝶番２２，２２の一方の羽根板を框本体２の収納部３の左右方向両端部の奥側面に固定し、他方の羽根板を各支持脚板２０，２０の収納位置における基端部後面に固定した例を示している。なお、このような態様に代えて、各蝶番２２，２２の一方の羽根板を框本体２の収納部３の左右方向両内側面に固定し、他方の羽根板を各支持脚板２０，２０の基端面に固定したような態様等としてもよい。
これら蝶番２２，２２の回動軸が各支持脚板２０，２０の回動支点となり、各支持脚板２０，２０は、各軸廻りに使用位置と収納位置とに変位可能に蝶番２２，２２を介して框本体２に回動自在に連結された構成とされている。なお、これら支持脚板２０，２０を、下端面が玄関土間５に近接対面した状態で使用位置と収納位置とに変位し、使用位置では、踏板１１の自重等によって玄関土間５に当接するよう僅かに上下方向への変位が可能なように框本体２に連結された構成としてもよい。また、これら支持脚板２０，２０の下端部に、玄関土間５上を転動する車輪等の転動体を設けるようにしてもよい。
【００２６】
また、本実施形態では、各支持脚板２０，２０の上下方向に間隔を空けて複数（図例では、２つ）の蝶番２２，２２，２２，２２を設けた構成としている。
また、本実施形態では、これら一対の支持脚板２０，２０は、それぞれの先端面同士が収納位置において近接対面する構成とされ、それぞれの先端面が使用位置において使用位置とされた踏板１１の先端面と概ね同一平面状となる構成とされている。
また、本実施形態では、支持脚板２０，２０を収納位置から使用位置側に向けて付勢する付勢部材２３，２３を、上記同様、各蝶番２２，２２に設けてこれらをスプリング蝶番２２，２２としている。これら支持脚板２０，２０の付勢部材２３，２３は、収納位置とされた各支持脚板２０，２０を、使用位置となるまで付勢する付勢力とされたものに限られず、収納位置から使用位置に至る途中まで付勢する付勢力とされたものとしてもよい。
【００２７】
なお、付勢部材２３を蝶番２２に設けた態様に代えて、または加えて、蝶番２２とは別部位に、付勢部材２３としてのねじりコイルばねや板ばね等のばね部材を設けたような態様としてもよい。
また、本実施形態のように、支持脚板２０を踏板１１の奥側に配されるものとした場合には、踏板１１の付勢部材を、支持脚板２０を収納位置から使用位置側に向けて付勢する付勢部材２３が兼用する構成としてもよい。つまりは、収納位置から使用位置側に向けて付勢部材２３によって付勢された支持脚板２０によって踏板１１を収納位置から使用位置側に向けて付勢する構成としてもよい。
【００２８】
また、本実施形態では、図１及び図２に示すように、支持脚板２０，２０を、ロック機構１５，１８によって収納位置において保持された踏板１１によって収納位置に保持される構成としている。つまりは、支持脚板２０，２０を収納位置において保持するロック機構を、踏板１１のロック機構１５，１８によって兼用し、言わば踏板１１を介して間接的に収納位置において保持される構成としている。このような構成とすれば、支持脚板２０，２０専用のロック機構を別途に設けた構成とした場合と比べて、構造の簡略化を図ることができ、また、解除状態への操作を簡略化することができる。つまり、踏板１１を収納位置に保持するロック機構１５，１８を解除状態へ操作すれば、支持脚板２０，２０のロック状態も解除され、使用位置側へ向けて変位可能となる。
【００２９】
また、図例では、支持脚板２０，２０の先端部に、ラッチ本体１５との干渉を防止すべく、ラッチ本体１５を受け入れる板厚方向に見て略半円形状の切欠状の凹部２１，２１をそれぞれに設けた例を示している。なお、このような態様に代えて、収納位置における支持脚板２０，２０の先端部間に、ラッチ本体１５を受け入れ可能な空間を設けたような態様等としてもよい。
なお、これら支持脚板２０，２０、上記した踏板１１及び框本体２は、木質系材料や、樹脂系材料、金属系材料等から形成されたものとしてもよい。また、これら支持脚板２０，２０、上記した踏板１１及び框本体２の表面に、適宜、化粧シートの貼着や塗装等によって表面化粧処理が施されたものとしてもよい。
【００３０】
上記構成とされた式台部１０は、例えば、以下のようにして収納位置と使用位置とに切り替えるようにしてもよい。
図１（ａ）及び図２（ａ）に示すように、収納位置とされた式台部１０を使用位置とする際には、ラッチ本体１５の操作部１６を操作し、ロック状態から解除状態に切り替える。これにより、踏板１１及び支持脚板２０，２０の保持が解除され、これらが付勢部材１４，２３によって付勢されて使用位置側に向けて変位する。なお、この際、手指等で補助してこれら支持脚板２０，２０や踏板１１を使用位置とするようにしてもよい。
一方、図１（ｂ）、図２（ｂ）及び図３に示すように、使用位置とされた式台部１０を収納位置とする際には、支持脚板２０，２０及び踏板１１を付勢部材２３，２３，１４の付勢に抗して収納位置側へと回動させ、ロック機構１５，１８をロック状態とする。これにより、支持脚板２０，２０及び踏板１１が収納位置において保持される。
【００３１】
本実施形態に係る玄関框１は、上述のような構成としたことで、式台部１０となる部材の収納を可能としながらも、収納位置から使用位置にする際における作業性を向上させることができる。
つまり、踏板１１を、框本体２の収納部３に収納される収納位置と前方に向けて突出する使用位置とに回動自在に框本体２に連結している。また、支持脚板２０を、框本体２の収納部３に収納される収納位置と使用位置とされた踏板１１を下方側から支持する使用位置とに回動自在に框本体２に連結している。従って、式台部１０となる踏板１１及び支持脚板２０を収納位置として框本体２の収納部３に収納させることができ、不要時には収納させることで、これら踏板１１及び支持脚板２０が邪魔になるようなことがなく、玄関土間５を広く使用することができる。
【００３２】
また、踏板１１及び支持脚板２０を収納位置から使用位置側に向けて付勢する付勢部材１４，２３を設けている。また、付勢部材１４，２３の付勢に抗して踏板１１及び支持脚板２０を収納位置において保持するロック状態と該ロック状態を解除する解除状態とに切り替えられかつ該ロック状態から該解除状態に少なくとも切り替え操作可能とされたロック機構１５，１８を設けている。従って、ロック機構１５，１８をロック状態から解除状態に切り替え操作すれば、踏板１１及び支持脚板２０が付勢部材１４，２３の付勢によって使用位置側に向けて変位するので、これらを収納位置から使用位置にする際における作業性を向上させることができる。また、これら踏板１１及び支持脚板２０が框本体２に対して回動自在に連結されているので、例えば、これらを分解したり、組み立てたりする必要があるようなものと比べて、取扱性が良く、使い勝手を向上させることができる。
【００３３】
また、本実施形態では、踏板１１及び支持脚板２０を、収納位置において、板厚方向を前後方向に沿わせるように収納されるものとしている。従って、玄関土間５と床面６との段差に引き出し可能に踏み台を収納させるようなものに比べて、使用位置における踏板１１の踏面１２を確保しながらも、框本体２の収納部３の前後寸法（奥行寸法）を効果的に小さくすることができる。
【００３４】
また、本実施形態では、踏板１１を、収納位置において、厚さ方向一方面としての踏面１２が框本体２の前面４と概ね同一平面状となるように収納部３の前方開口を閉鎖するように配される構成としている。また、支持脚板２０を、収納位置において、踏板１１の厚さ方向他方面としての裏面に沿うように踏板１１の奥側に配される構成としている。従って、踏板１１と支持脚板２０とを個別の収納部３に収納させる構造としたもの等と比べて、見栄えを向上させることができる。
また、本実施形態のように、ロック機構１５，１８によって収納位置に保持された踏板１１によって支持脚板２０を収納位置に保持することができ、個別にロック機構１５，１９を設けたようなものと比べて、構造の簡略化を図ることができる。なお、このような態様に代えて、踏板１１及び支持脚板２０のそれぞれを収納位置に保持するロック機構１５，１８をそれぞれに設けた構成としてもよい。また、上記のような態様に代えて、収納位置における踏板１１の踏面１２が框本体２の前面４よりも前方や後方に配される構成とされたものとしてもよい。
【００３５】
なお、本実施形態では、ロック機構１５，１８を、ラッチ本体１５及びラッチ受部１８を備えた構成としているが、このような態様に限られず、例えば、摘みやレバー等を備えたロック機構としてもよい。また、ラッチ本体１５の先端部に、解除状態とされれば、内臓された付勢部材によって突出するように付勢された出没ロッドを設けた構成とし、この付勢部材を、踏板１１や支持脚板２０を使用位置側へ向けて付勢する付勢部材として把握するようにしてもよい。また、ロック機構１５，１８としては、その他、種々の構成とさえたものの採用が可能であり、例えば、貫木状や掛金状等とされたものとしてもよい。
【００３６】
また、本実施形態では、踏板１１の収納位置における上端部を回動側の基端部とした例を示しているが、このような態様に代えて、踏板１１の収納位置における下端部を回動側の基端部としたような態様としてもよい。
また、本実施形態では、踏板１１を、収納位置において収納部３の前方開口を閉鎖するように配される構成とした例を示しているが、このような態様に限られず、例えば、収納位置とされた踏板１１の左右両側等に空間が設けられるような構成等としてもよい。
また、本実施形態では、踏板１１及び支持脚板２０を収納する収納部３を共通のものとした例を示しているが、これらをそれぞれに収納する収納部を框本体２に設けたような態様等としてもよい。
また、本実施形態では、一対の支持脚板２０，２０を設けた構成としているが、単一または３つ以上の支持脚板を設けた構成としてもよい。
また、本実施形態では、框本体２に、単一の式台部１０を設けた構成としているが、框本体２に、複数の式台部１０を設けた構成としてもよい。
【符号の説明】
【００３７】
１        玄関框
２        框本体
３        収納部
４        前面
１１      踏板
１２      踏面（厚さ方向一方面）
１４      付勢部材
１５      ラッチ本体（ロック機構）
１８      ラッチ受部（ロック機構）
２０      支持脚板
２３      付勢部材
【図１】
2015110868.tif 000003
【図２】
2015110868.tif 000004
【図３】
2015110868.tif 000005